(57)【要約】      （修正有）【課題】ブックマークベルトの遺失或いは滑り落ちを防止でき、書籍のカテゴリーを目立たせ、探しやすくする実用効果を達成できるブックマークベルト構造を提供する。【解決手段】ブックマークベルト構造はブックマークベルト１０、挟持部材１１、ペンダント１７、装飾部材１９を有する。ブックマークベルトは細長い形状のヒモ体である。挟持部材は板片１２を形成し、板片の一端には転折部１３を有し、反対方向に挟片１４を延伸する。挟片と板片との間にはスリット１５を形成する。ブックマークベルトの一端に挟持部材が連結し、ペンダントはブックマークベルトの反対端に連結する。装飾部材１９は挟持部材上に密着して設置できる。挟持部材を書籍の表紙或いは内ページに挟むことで遺失や滑り落ちを防止できる。【選択図】図１
0003209537.tif 000002
【実用新案登録請求の範囲】
【請求項１】
ブックマークベルト構造であって、ブックマークベルト、挟持部材、ペンダントを有し、
前記ブックマークベルトは、細長い形状のヒモ体で、
前記挟持部材は、前記ブックマークベルトの一端と連結され、
前記ペンダントは、所定のデザイン形態を備える片体で、前記ブックマークベルトの反対端と連結することを特徴とするブックマークベルト構造。
【請求項２】
前記挟持部材には、板片を形成し、
前記板片一端には、転折部を有し、反対方向に挟片を延伸し、
これにより、前記挟片と前記板片との間には、挿入して挟み込むことができるスリットを形成し、
前記転折部には、タイホール、或いはリングフックを設置し、これにより前記ブックマークベルトの一端を連結し、
前記ペンダント一辺縁には、穿孔を有し、これにより前記ブックマークベルトの反対端を連結することを特徴とする請求項１に記載のブックマークベルト構造。
【請求項３】
前記挟持部材は、一端に貫孔を有する板体とし、
前記板体の外周に近い位置には、Ｕ形の切り込みスリットを設置し、弾性片を形成し、
前記ブックマークベルトは、前記貫孔に縛って設置されることを特徴とする請求項１に記載のブックマークベルト構造。
【請求項４】
前記挟持部材上には、装飾部材を設置し、
前記挟持部材の挟片には、嵌合孔を設置し、しかも前記装飾部材背面には、相互に対応する嵌合柱を設置し、
前記嵌合柱は、前記嵌合孔に嵌めて定位され、これにより前記装飾部材は、前記挟持部材上に固定されることを特徴とする請求項１に記載のブックマークベルト構造。
【考案の詳細な説明】
【技術分野】
【０００１】
本考案はブックマークベルト構造に関し、特に書籍と連結を形成し、書籍のカテゴリーを目立たせ、また探しやすくできるブックマークベルト構造に関する。
【背景技術】
【０００２】
一般に人は読書の際、一度で読み終わらず、或いは読書を一時的に停止する場合には、ブックマークを書籍のページに挟み、どこまで読んだかを標示する。
これにより、次に読む時には、ブックマークを挟んだページを開けば、前回読んだ部分を速やかに探し出すことができる。
【０００３】
従来のブックマークの形式において、その内の一種は、単行本の背のヘッドバンド（エンドバンド）から伸びるブックマークベルトである。
それは、書籍そのものの延伸構造で、使用時には、ブックマークベルトの自由端を、書籍中のあるページ内に引き入れ、ブックマークベルトの自由端を書籍下方に露出することで、次に読書する際に読んだページを探すためのガイドとする。
【０００４】
しかし、書籍のヘッドバンド、ブックマークベルトの製造は、書籍の背を製造する際に行わなければならず、手間も時間もかかる。
しかも、多くの出版物は、規格上、ヘッドバンド、ブックマークベルトを製造できないものもある。
そのため、出版物の多くは、外部から挟み入れるブックマークを読書中断時の媒介とし、ページを分け、分類し、また索引したりする用途に用いている。
【０００５】
一般の外部から挟み入れるブックマークは、薄板状構造を採用し、上端には小孔を有し、それに細いベルトを通して結び固定している。
使用時には、ブックマーク全体を書籍中のあるページ内に入れ、ベルトを書籍上方に露出させ、そのページを次に探す際の識別に用いている。
しかし、ブックマークそのものと書籍とは直接連結していないため、以下の使用状況及び欠点が存在する。
１．ブックマークは単一の片体で、それ自体はページ中の固定位置に付着できないため、書籍を閉じなければブックマークを固定することはできない。しかし、書籍を開く、或いは書籍を携帯し移動する際には、金属材質等の比較的質量を有するブックマークはしばしば滑り出てしまい、読んだ部分を示す機能は失われてしまう。或いはブックマークがベルトと共に下方へと移動し、書籍内に没入してしまうことで、次にそのページを探す際に、ベルトが見つからず探すのに時間がかかるという状況が発生する。
２．薄板状のブックマークは使用しない時には、一般に収蔵が容易でなく、片付け場所を忘れ、或いは滑り落ちた際になくしてしまうという状況が発生し易い。
【考案の概要】
【考案が解決しようとする課題】
【０００６】
前記先行技術には、ページ中の固定位置に付着できないため、滑り出てしまい、読んだ部分を示す機能が失われ、或いはブックマークがベルトと共に書籍内に没入してしまうことで、次にそのページを探す際に、ベルトが見つからず探すのに時間がかかり、また薄板状のブックマークは収蔵が容易でなく、片付け場所を忘れ、或いは滑り落ちた際になくしてしまうという状況が発生し易い欠点がある。
【課題を解決するための手段】
【０００７】
本考案はブックマークベルト構造に関する。
【０００８】
本考案によるブックマークベルト構造は、ブックマークベルトの一端に、挟持部材を設置し、反対端に、ペンダントを設置する。
該挟持部材は、書籍外部に露出し、書籍の表紙或いは内ページに便利に挟んで定位できる。
これにより、次にその本を読む際に、もとの位置を見つけやすく、該ブックマークベルト一端と書籍とを連結することで、滑り落ちて遺失する恐れを払拭できる。
該ペンダントにより、該ブックマークベルト反対端には、下方へ向かう重力を生じ、これにより該ブックマークベルトは、直線を呈して、書籍内ページ中に延伸し、しっかり挟むことができる実用効果を有する。
【０００９】
本考案によるブックマークベルト構造により、次にその本を読む際には、もとの位置が見つけやすくなり、また滑り落ちて遺失する恐れを払拭でき、書籍内ページ中に延伸し、しっかり挟むことができる実用効果を有する。
【図面の簡単な説明】
【００１０】
【図１】本考案の立体分解図である。
【図２】本考案の組合せ立体図である。
【図３】本考案を書籍の表紙に挟持する様子を示す立体図である。
【図４】本考案を書籍内ページに挟持する様子を示す立体図である。
【図５】本考案を書籍分類に用いる様子を示す模式図である。
【図６】本考案のもう一つの実施形態図である。
【図７】本考案の挟持部材のさらにもう一つの実施形態図である。
【図８】本考案の挟持部材のまたさらにもう一つの実施形態図である。
【考案を実施するための形態】
【００１１】
（一実施形態）
図１〜図５に示す通り、ブックマークベルト１０、挟持部材１１、ペンダント１７、装飾部材１９を有する。
【００１２】
ブックマークベルト１０は、細長い形状のヒモ体で、挟持部材１１は、板片１２を形成する。
板片１２一端には、転折部１３を有し、反対方向に挟片１４を延伸する。
これにより、挟片１４と板片１２との間には、挿入して挟み込むことができるスリット１５を形成する。
転折部１３には、タイホール１６を設置し、該ブックマークベルト１０の一端を、該タイホール１６に縛って固定し、相互に連結する。
【００１３】
ペンダント１７は、所定のデザイン形態を備える片体で、その辺縁には、穿孔１８を有し、これにより該ブックマークベルト１０の反対端を縛って固定し、相互に連結する。
装飾部材１９は、少なくとも１個の所定のデザイン形態の片体を有する。
装飾部材１９は、挟持部材１１の板片１２或いは挟片１４上に密着して設置でき、これにより装飾部材１９は、該挟持部材１１を選択的に装飾できる。
【００１４】
上述の構造により、挟持部材１１は、書籍の表紙或いは内ページに挟んで設置できる。
これにより、該ブックマークベルト１０一端は、書籍と連結を形成し、該ブックマークベルト１０の遺失或いは滑り落ちを防止でき、挟持部材１１或いは装飾部材１９により、書籍のカテゴリーを目立たせ、探しやすくする実用効果を達成できる。
【００１５】
図１〜図２に示す通り、本実施形態のブックマークベルト１０は、皮革或いは布質のベルトにより製造される。
ペンダント１７、装飾部材１９は、金属、紙質、布質、木質、プラスチック、ゴム或いはガラスにより製造される。
しかも、ペンダント１７、装飾部材１９のデザイン形態は、幾何パターン、植物パターン、動物パターン、アニメパターン及び文字型の内の一つ或いはその組合せで、これにより多様な形態を形成できる。
【００１６】
挟持部材１１は、弾性を備える片体とし、その挟持の能力を拡大し、固定できるスリット１５とし、書籍表紙或いは内ページに挿入して設置するアンカーを形成する。
ペンダント１７は、さまざまなデザイン形態外観を提供するほか、より重要な点は、それが質量（重量）を有するため、ブックマークベルト１０は書籍内ページにしっかりと垂れ下がり、挟合の効果を有する点である。
【００１７】
図３に示す通り、本考案のその内の一つの使用方式では、読者が読書を停止すると、挟持部材１１を書籍１の表紙２に置き、板片１２を表紙２の内側に挿入する。
挟片１４は表紙２の外側に置かれ、これにより挟持部材１１は書籍１の外に露出し、該ブックマークベルト１０に連接し、しかも書籍１の中に挟まれ、次に書籍１を読む際に、もとの位置を見つけられるガイド効果を達成できる。
【００１８】
図３に示す通り、本考案のもう一つの使用方式では、読者は読書を停止した時には、挟持部材１１を書籍１の内ページ３に置き、ブックマークベルト１０に連接し、しかも書籍１の中に挟まれる。
これにより、挟持部材１１は書籍１の外に露出し、次に書籍１を読む際に、もとの位置を見つけられるガイド効果を達成できる。
【００１９】
図５に示す通り、挟持部材１１は、それ自体の外側表面に模様を備える設計とすることができる。
これにより、書籍の識別、分類に用い、或いは装飾部材１９を目立つ様式とし、また装飾部材１９上には標記し、或いは文字を書くことができる。
こうして、たくさんの書籍を並べて收納する際にも、読者は容易にはっきりと書籍の位置を見つけることができ、ガイドの効果を達成できる。
【００２０】
図６に示す通り、本考案のもう一つの実施形態では、ブックマークベルト２０はチェーンで、挟持部材１１の転折部１３には、リングフック１３１を設置する。
ブックマークベルト２０一端は、挟持部材１１のリングフック１３１に嵌合、連結され、反対端はペンダント１７の穿孔１８に連結される。
【００２１】
本実施形態のもう一種の実施形態では、挟持部材１１の挟片１４には、嵌合孔１４１を設置し、しかも装飾部材１９背面には、相互に対応する嵌合柱１９１を設置する。
嵌合柱１９１は、嵌合孔１４１に嵌めて定位され、これにより装飾部材１９は、挟持部材１１上に固定され、装飾部材１９を便利に取り外し、取り付け、或いは交換する効果を備える。
【００２２】
図７に示す通り、本考案の挟持部材のさらにもう一つの実施形態では、挟持部材３０をクリップ形式とし、ブックマークベルト１０は挟持部材３０一端に縛って固定される。
こうして、挟持部材３０は書籍のページ面に挟んで設置され、ブックマークベルト１０は書籍と連結を形成し、ブックマークベルト１０の遺失或いは滑り落ちを防止する効果を達成できる。
【００２３】
図８に示す通り、本考案の挟持部材のまたさらにもう一つの実施形態では、挟持部材４０は、一端に貫孔４４を有する板体４４とし、板体４１の外周に近い位置には、Ｕ形の切り込みスリット４２を設置し、弾性片４３を形成し、ブックマークベルト１０は、貫孔４４に縛って設置される。
こうして、弾性片４３を一角度めくり上げ、書籍のページ面は板体４１と弾性片４３との間に挟まれる。
これにより、ブックマークベルト１０は、書籍と連結を形成し、ブックマークベルト１０の遺失或いは滑り落ちを防止する効果を達成できる。
【００２４】
前述した本考案の実施形態は本考案を限定するものではなく、よって、本考案により保護される範囲は後述される実用新案登録請求の範囲を基準とする。
【符号の説明】
【００２５】
１  書籍、
２  表紙、
３  内ページ、
１０  ブックマークベルト、
１１  挟持部材、
１２  板片、
１３  転折部、
１３１  リングフック、
１４  挟片、
１４１  嵌合孔、
１５  スリット、
１６  タイホール、
１７  ペンダント、
１８  穿孔、
１９  装飾部材、
１９１  嵌合柱、
２０  ブックマークベルト、
３０  挟持部材、
４０  挟持部材、
４１  板体、
４２  切り込みスリット、
４３  弾性片、
４４  貫孔。
【図１】
0003209537.tif 000003
【図２】
0003209537.tif 000004
【図３】
0003209537.tif 000005
【図４】
0003209537.tif 000006
【図５】
0003209537.tif 000007
【図６】
0003209537.tif 000008
【図７】
0003209537.tif 000009
【図８】
0003209537.tif 000010